(57)【要約】【課題】従来、筆の穂先のコシ強度は製品に数値的に明示されておらず硬い・普通・柔らかい等の漠然とした表現しかない。しかし書道・化粧・塗装、また医療の現場でも筆穂のコシ強度が包装に明示されていれば利用者は製品選択が大変便利になる。これまで筆穂コシ強度の測定器具が無かった為である。本発明は以上の問題を解決する。【解決手段】基盤とする板の上に秤を設置し、秤と近接する位置に基盤に直立して支柱を設置する。この支柱に直交する形で基盤と並行させて筆保持バーを取り付ける。筆保持バーには筆固定具を取り付け、秤の真上に位置する場所で、筆を固定保持でき、支柱には側面に上下に渡って溝を作ってボールネジを埋め込み、手動又は電動で筆保持バーを昇降する機構を付帯する。さらに支柱側面には筆穂コシ強度測定位置設定用目盛りを付して筆保持バーの昇降量を調節可能とする。以上を特徴とする筆穂コシ強度測定器。【選択図】図４
2016180742.tif 000002
【特許請求の範囲】
【請求項１】
本発明は、基盤とする板の上に秤を設置し、秤と近接する位置に基盤に直立して支柱を設置し、この支柱に直交する形で基盤と並行させて筆保持バーを取り付け、この筆保持バーに筆固定具を取り付けて、秤の真上に位置する場所で、筆に９０度までの傾斜角度を付けたまま固定保持できるもので、支柱には側面に上下に渡って溝を作ってボールネジ等を埋め込み、手動又は電動で筆保持バーを昇降する機構を付帯しておいて、さらに支柱側面には筆穂コシ強度測定位置設定用目盛りを付して筆保持バーの昇降量を調節可能とすることを特徴とする筆穂コシ強度測定器。
【発明の詳細な説明】
【技術分野】
【０００１】  本発明は、化粧筆・洗顔筆・毛筆・医療用ブラシなどの筆穂のコシ強度を計測することができる測定器に関するものである。
【背景技術】
【０００２】  各分野・各用途の筆穂コシ強度測定器は先行技術事例が無く、類似技術は過去に全く提出されていないという調査結果である。
【発明の概要】
【発明が解決しようとする課題】
【０００３】  これまで筆の穂先のコシ強度については、どの分野のどんな種類の筆においても、そのコシ強度を製造者も販売者も具体的な数値で使用者に明示することが出来ていない。しかし例えば化粧筆では使用者の皮膚の状態や敏感度に応じて微妙な筆穂のコシ強度が自分に合うものを使いたいという要求がある。筆穂の材質が化学繊維であったり、各種動物の毛を用いていることを表示することで、消費者はその筆穂の感触やコシ強度を推測して購入するしかない。しかし筆穂のコシ強度は、太さ・長さ・材質・動物種類・生息地・部位・加工方法等様々な要素で変わる為、従来の表示や外観だけで判断できるものではなく、パッケージの外側からそれを判断することは不可能である。化粧筆は購入時に店頭で自分の顔等に当てて確認することは清潔さの面からも不可能なものであり、判断基準となるものが数値で明示されている必要がある。
歯ブラシや毛筆などでは硬め・ふつう・柔らか目という漠然とした言葉で表示しているが、特に化粧筆・洗顔筆等の分野ではかなりデリケートな分類と数値での明示が必要である。
医療分野では、皮膚の敏感度を調べるために筆を利用することがあるが、診療に使用するその筆のコシ強度が数値化されていなければ基準が曖昧であり、正しく診断されたとは言い難いのは当然である。
書道においてもコシ強度は重要である為、硬い・かなり硬いなどの表示がパッケージにあるが、とてもこれで判断できるものではない。いつも同じ筆致・運筆を得るためにはコシ強度が数値で明示されていることが重要である。
水彩画や油絵などの絵画に使用される筆も製造者・販売者はコシ強度について硬毛・軟毛・抜群に強いなどの表現で表示しているが何とも曖昧である。
従来はこのような筆穂のコシ強度を測定する方法や治具が存在していない。
本発明は以上の問題点を解決するものである。
【課題を解決するための手段】
【０００４】  本発明は、基盤とする板の上に秤を設置し、秤と近接する位置に基盤に直立して支柱を設置する。この支柱に直交する形で基盤と並行させて筆保持バーを取り付ける。この筆保持バーには筆固定具を取り付けており、秤の真上に位置する場所で、筆に９０度までの傾斜角度を付けたまま固定保持できる。
支柱には側面に上下に渡って溝を作ってボールネジを埋め込み、手動又は電動で筆保持バーを昇降する機構を付帯する。さらに支柱側面には筆穂コシ強度測定位置設定用目盛りを付して筆保持バーの昇降量を調節可能とする。
以上を特徴とする筆穂コシ強度測定器である。
【発明の効果】
【０００５】  この発明により、筆のコシ強度を製造者や販売者が具体的な数値で使用者に明示することが出来る。例えば化粧筆分野では利用者の皮膚の状態や敏感度に応じてコシの強さを選びたいという要求に対し、これまでは製造者・販売者にコシ強度の測定方法・基準が無いため表示することが出来ず、利用者は殆ど見た目のデザインや毛の素材で推測して購入するしかなかったが、筆製品に数値で表示してあることで使用者が希望する筆穂コシ強度のものを手に入れることが可能となる。殆どの筆製品は店頭ではパック包装されており、特に化粧筆は購入時に店頭で自分の顔等に当てて確認することは清潔さの面からも不可能なものであり、判断基準となるものが明示されることで購入ミスを避けることが出来るようになる。
歯ブラシなどで硬め・ふつう・柔らか目という漠然と分類表示したものがあるが、このような漠然とした表現で利用者を惑わすことが無くなる。
水彩画や油絵などの画筆も、従来の硬毛・軟毛・抜群に強い等々の曖昧な表現をやめ、利用者に明確な筆穂コシ強度情報を伝えることが出来る。
医療分野でも顔面神経痛などの患者の皮膚の重症度を調べるために筆を利用することがあるが、病院毎に使用する筆が異なり、さらに医師毎に診察に使用する筆が異なる為、同じ患者が複数の病院或いは医師に診てもらう場合、診療に使用するその筆穂コシ強度がバラバラであれば診たても変わる可能性があるが、数値化されることにより病院間・医師間の診察結果の誤差が少なくなる。
書道においても、いつも同じ筆穂コシ強度の筆を使用すれば、いつも同じ書き心地を得ることが出来る。
【図面の簡単な説明】
【０００６】
【図１】本発明において、筆を垂直に立て、筆穂が秤ａに対して直接上から下に押す筆穂コシ強度を計測する時の状態を示すイメージ図
【図２】本発明において、筆に傾斜をつけ、筆穂が秤ａに対して直接上から下に押す筆穂コシ強度を計測する時の状態を示すイメージ図
【図３】本発明において、秤ａに取付けた筆穂コシ強度測定バーａに向かって筆を水平に移動し、筆穂が筆穂コシ強度測定バーａを押す筆穂コシ強度を計測する時のイメージ図
【図４】本発明において、筆を横に寝かせて下降し、秤ａに取付けた筆穂コシ強度測定バーｂを押す筆穂コシ強度を計測する時のイメージ図
【図５】本発明において、筆を垂直に立て、秤ｂの秤先端鉤部で筆を引いて水平移動し、筆穂が筆穂コシ強度測定バーｃを押す筆穂コシ強度を計測する時のイメージ図
【図６】本発明において、筆を垂直に立て、筆穂に秤ｂの秤先端鉤部を引っ掛けて引き、秤先端鉤部に掛かる抵抗力を筆穂コシ強度として測定する時のイメージ図
【発明を実施するための形態】
【０００７】  本発明は、基盤（１）とする板の上に秤ａ（２）を設置し、秤と近接する位置に基盤（１）に直立して支柱（３）を設置する。この支柱に直交する形で基盤（１）と並行させて筆保持バー（４）を取り付ける。この筆保持バーには筆固定具（５）を取り付けており、秤ａ（２）の真上に位置する場所で、筆に９０度までの傾斜角度を付けたまま固定保持できる。
支柱（３）には側面に上下に渡って溝を作ってボールネジを埋め込み、手動又は電動で筆保持バー（４）を昇降する機構を付帯する。さらに支柱（３）側面には筆穂コシ強度測定位置設定用目盛り（７）を付して筆保持バー（４）の昇降量を調節可能とする。
以上を特徴とする筆穂コシ強度測定器である。
以下主な使い方の説明とその他の測定方法を記す。
イ、［図１］筆穂を下側にして筆（８）を垂直に立てて筆固定具（５）に固定する。
支柱（３）に付けた昇降治具で筆保持バー（４）を筆穂コシ強度測定位置設定用目盛り（７）を見ながら定めた量を下降させ、筆穂が秤ａ（２）を上から下に向かって押す力を計測する。
なお、昇降治具はボールネジ利用に限定されたものではなく、筆穂コシ強度測定位置設定用目盛りに合わせてスムーズに昇降できるものであればどんな方法・治具を使用しても良い。また昇降や水平移動を、手動で行なうか自動で行なうかについてもどちらでも効果は同様である。以下の各項の昇降治具・水平移動治具にも共通である。
ロ、［図２］筆穂を下側にして筆（８）を傾斜させた状態で筆固定具（５）に固定する。支柱（３）に付けた昇降治具で筆保持バー（４）を筆穂コシ強度測定位置設定用目盛り（７）を見ながら定めた量を下降させ、筆穂が秤ａ（２）に対して上から下に向かって押す力を計測する。
ハ、［図３］筆穂を真下に向けた状態で筆固定具（５）に固定する。筆保持バー（４）にボールネジ等を使用して水平スライド治具を設けて筆（８）を水平に移動し、筆穂が秤ａ（２）上に設置した筆穂コシ強度測定バーａ（９）に対して横から掛かる力を測定する。
ニ、［図４］筆（８）を水平にした状態のまま下降させ、筆穂が秤ａ（２）上に取付けたコの字状の筆穂コシ強度測定バーｂ（１０）に対して掛かる力を測定する。
ホ、［図５］筆穂を真下に向けた状態で筆固定具（５）に固定し、筆保持バー（４）を筆穂コシ強度測定位置設定用目盛り（７）を見ながら下降させた後、筆（８）の口金部分に秤先端鉤部（１３）を引っ掛けて秤ｂ（１４）を水平に引っ張りることで筆（８）が水平に移動し、筆穂が基盤（１）上に設置した筆穂コシ強度測定バーｃ（１２）を超えるために要する力を測定する。
秤ｂ（１４）は水平を保つため秤ｂ載台（１５）上をスライド移動する。
ヘ、［図６］筆穂を真下に向けた状態で筆固定具（５）に固定し、筆保持バー（４）を目盛りを見ながら昇降させるか、又は秤ｂ（１４）と秤先端鉤部（１３）を昇降させた後、筆穂部に秤先端鉤部を引っ掛けて秤ｂ（１４）を水平に引っ張って秤先端鉤部（１３）が筆穂を超える為に要する力を測定する。
秤ｂ（１４）は水平を保つため秤ｂ載台（１５）上をスライド移動する。
【符号の説明】
【０００８】  １  基盤
２  秤ａ
３  支柱
４  筆保持バー
５  筆固定具
６  筆保持バー上下移動ハンドル
７  筆穂コシ強度測定位置設定用目盛り
８  筆
９  筆穂コシ強度測定バーａ
１０  筆穂コシ強度測定バーｂ
１１  目盛りバー
１２  筆穂コシ強度測定バーｃ
１３  秤先端鉤部
１４  秤ｂ
１５  秤ｂ載台
【図１】
2016180742.tif 000003
【図２】
2016180742.tif 000004
【図３】
2016180742.tif 000005
【図４】
2016180742.tif 000006
【図５】
2016180742.tif 000007
【図６】
2016180742.tif 000008